(57)【要約】【課題】  ネクタイが迅速で綺麗に結べ、かつ、緩みがない上にワイシャツへの装着が容易であるとともに、別のネクタイの取替えも簡単にできるネクタイ吊りを提供する。【解決手段】  ワイシャツに止め掛けられて結んだ状態のネクタイを吊り下げるネクタイ吊りであり、このネクタイ吊りが、結び目を形成してネクタイを取り付ける逆三角体と、ワイシャツのボタンに挿入されるボタン孔が形成されて下端に蝶番で繋がれたケースを有するＹ字体とからなるものであり、ネクタイを結んだ逆三角体の上端をケースに挿入して蝶番を前面に折り返して逆三角体をＹ字体に重合させて固定し、この状態でＹ字体のボタン孔をワイシャツのボタンに係止することを特徴とするネクタイ吊り。【選択図】  図１
0003123129.tif 000002
【実用新案登録請求の範囲】
【請求項１】
ワイシャツに止め掛けられて結んだ状態のネクタイを吊り下げるネクタイ吊りであり、このネクタイ吊りが、結び目を形成してネクタイを取り付ける逆三角体と、ワイシャツのボタンに挿入されるボタン孔が形成されて下端に蝶番で繋がれたケースを有するＹ字体とからなるものであり、ネクタイを結んだ逆三角体の上端をケースに挿入して蝶番を前面に折り返して逆三角体をＹ字体に重合させて固定し、この状態でＹ字体のボタン孔をワイシャツのボタンに係止することを特徴とするネクタイ吊り。
【請求項２】
逆三角体にピンを突設するとともに、Ｙ字体にこのピンが挿抜できる挿入孔を形成し、逆三角体を折り返してピンを挿入孔に挿入すると、ロック機構が働いてピンが挿入孔にロックされる請求項１のネクタイ吊り。
【請求項３】
ロック機構が、挿入孔に設けられて、ばねによって互いの間隙が狭まる方向に付勢された二つの摘みの拡狭でピンをロック、解除するものであり、ピンが挿入孔に挿入されると、摘みの間隙がばねの力に抗して開いてピンの挿入を許容するとともに、ばねの力でピンを締め付けてロックし、摘みを指で挟んで狭めると、間隙が開いてピンの抜去を許容するものである請求項２のネクタイ吊り。
【考案の詳細な説明】
【技術分野】
【０００１】
本考案は、結んだ状態のネクタイをワンタッチでワイシャツに取付け、取外しできるネクタイ吊りに関するものである。
【背景技術】
【０００２】
ネクタイを結ぶには、前垂れ部と裏垂れ部の長さを調整する必要があり、合わないと、何回でもやり直しをしなければならない。また、普段、あまりネクタイを着用しない人は、ネクタイ結びに難渋することから、首に巻いた裏垂れ部を緩めて首から抜いて外したりしているが、何らかの拍子で裏垂れ部が抜けてしまうことがある。このため、従来から、ネクタイを結んだ状態で保持し、着用時には、ワイシャツの襟に差し込む等によって装着できるネクタイ吊りが提案されている。
【０００３】
中でも、下記特許文献１に見られるものは、普通のネクタイを使用できる利点を有しており（専用の短いネクタイを使用する必要がない）、かつ、結ぶ操作も比較的易しく、また、綺麗な結び目ができる点で優れている。しかし、この先行例のものは、裏垂れ部の余った部分（首に回さないのであるから、当然に長くなる）を縫い付けたり、ピンで止める等、煩雑な措置を強いられるようになっており、あまり使い勝手がよいとはいえない。また、結び目の緩みを防止する手段も設けられていないし、フックでワイシャツの襟に引っ掛けるものであるから、位置がずれることもある。
【０００４】
このため、本考案者は、綺麗な結び目ができる長所はそのまま残し、この結び目の緩みを防止するとともに、確実にワイシャツに止め付けられ、かつ、操作の易しいネクタイ吊りを特許文献２として提案している。
【特許文献１】登録実用新案第３０６２８４９号公報
【特許文献２】実用新案登録第３１１４２０６号公報
【考案の開示】
【考案が解決しようとする課題】
【０００５】
本考案は、上記した特許文献２のネクタイ吊りを更に使い勝手の良いように改良したものである。
【課題を解決するための手段】
【０００６】
以上の課題の下、本考案は、請求項１に記載した、ワイシャツに止め掛けられて結んだ状態のネクタイを吊り下げるネクタイ吊りであり、このネクタイ吊りが、結び目を形成してネクタイを取り付ける逆三角体と、ワイシャツのボタンに挿入されるボタン孔が形成されて下端に蝶番で繋がれたケースを有するＹ字体とからなるものであり、ネクタイを結んだ逆三角体の上端をケースに挿入して蝶番を前面に折り返して逆三角体をＹ字体に重合させて固定し、この状態でＹ字体のボタン孔をワイシャツのボタンに係止することを特徴とするネクタイ吊りを提供したものである。
【０００７】
また、本考案は、以上のネクタイ吊りにおいて、請求項２に記載した、逆三角体にピンを突設するとともに、Ｙ字体にこのピンが挿抜できる挿入孔を形成し、逆三角体を折り返してピンを挿入孔に挿入すると、ロック機構が働いてピンが挿入孔にロックされる手段を提供するとともに、このロック機構として、請求項３に記載した、挿入孔に設けられて、ばねによって互いの間隙が狭まる方向に付勢された二つの摘みの拡狭でピンをロック、解除するものであり、ピンが挿入孔に挿入されると、摘みの間隙がばねの力に抗して開いてピンの挿入を許容するとともに、ばねの力でピンを締め付けてロックし、摘みを指で挟んで狭めると、間隙が開いてピンの抜去を許容する手段を提供したものである。
【考案の効果】
【０００８】
請求項１のネクタイ吊りによると、ネクタイを結ぶ逆三角体と、ワイシャツに止め掛けられて逆三角体を吊持するＹ字体とは分割されたものであるから、逆三角体にネクタイを結ぶ操作が容易になる。また、複数の逆三角体を用意してそれぞれに別々のネクタイを結んでおけば、好みのネクタイを結んだ逆三角体をＹ字体に連結することで、迅速に別のネクタイを装着できる。
【０００９】
もちろん、ネクタイの結び目は逆三角体とＹ字体とで挟持されるから、しっかりとその形が保持され、緩むことがない点、また、このネクタイ吊りは、ワイシャツのボタンに止め掛けられるものであるから、確実であり、位置がずれたり、外れたりすることがない点、加えて、ワイシャツの襟にさしこむような手段は用いていないから、装着感がよい上に安全である点は変わることがない。さらに、請求項２及び３の手段によると、逆三角体のＹ字体に対する連結がワンタッチでできる。
【考案を実施するための最良の形態】
【００１０】
以下、本考案の実施の形態を図面を参照して説明する。図１は本考案に係るネクタイ吊りの一例を示す正面図、図２は側面図であるが、このネクタイ吊りは、ネクタイを結ぶ逆三角体１と、ワイシャツに止め付けられて逆三角体１を吊持するＹ字体２とからなる。このうち、逆三角体１は、基体３の下部両側に角部４が形成され、上部に細長い舌部５が形成されたものである。また、基体３の裏面には、一端が開放したフック６が設けられており、前面には、ピン７が突設されている。なお、ここで、上下、前後、左右といった方向を指称することがあるが、Ｙ字体２の下方に逆三角体１を連結した状態を正面から見た場合を基準にする。
【００１１】
Ｙ字体２は、上部両側において、角部４よりも外方に張出して上方に湾曲した翼部８と下部の柱部９とからなり、柱部９の下端に蝶番１０で繋がれて下端が開口したケース１１が設けられたものである。また、翼部８の中央で柱部９の付け根にはボタン孔１２も形成されている。さらに、柱部９の途中には、Ｙ字体２に連結した逆三角体１を蝶番１０で折り返したときに上記したピン７の位置に対応する個所にこのピン７を収受する挿入孔１３が設けられており、挿入孔１３に挿入されたピン７をロック、解除するロック機構１４が柱部９の裏面に設けられている。
【００１２】
以上のネクタイ吊りにネクタイを結ぶ場合について、図３〜図６の説明図を用いて説明する。このネクタイ吊りにネクタイ１５を結ぶ（標準結び）場合、逆三角体１とＹ字体２を連結（セット）したままでもよいが、両者を切り離して逆三角体１のみにしてネクタイ１５を結ぶ方が容易であるので、以下は、この場合について説明する。まず、逆三角体１を上下逆にしてネクタイ１５の裏垂れ部１５ａを適当な長さにしてその上端をフック６に掛けて前方に垂らし、これを更に適当な長さ（裏垂れ部１５ａよりは短くする）から上方に折り返す。これにより、裏垂れ部１５ａの前方には、二つの折り返し部が存在することになり（図３）、これを裏から第二裏垂れ部１５ｂ、第三裏垂れ部１５ｃとする
【００１３】
次いで、第三裏垂れ部１５ｃを基体３の上方に上げ、向かって左側の角部４の裏側を回して（図４）前方に出し、第三裏垂れ部１５ｃの前面を右方に回す。そして、右側の角部４の裏側に回し（図５）、前面に回した第三裏垂れ部１５ｃの中に通して前に垂らす（図６）と、これが前垂れ部１５ｄとなって結び目１６が形成できる。なお、角部４は、このようにネクタイ１５を回して折り返すことから、ネクタイ１５が上方にずれたりしないように、その先端を折り返してフック４ａにしておくのが適する。これら前垂れ部１５ｄと裏垂れ部１５ａとが適当な長さになるように第二及び第三裏垂れ部１５ｂ、１５ｃの長さを調整することになる。
【００１４】
以上の結び操作が終了すると、逆三角体１の舌部５をＹ字体２のケース１１に差し込んで両者を結合する。図７は、この差込みの構造を示す断面図であるが、ケース１１の内側には、先端部分に係止部１７ａが形成された板ばね１７が設けられており、舌部５にも該当する個所に凹み５ａが形成されている。したがって、挿入された舌部５は、この係止部１７ａを押し潰して前進し、凹み５ａが係止部１７ａの位置に来ると、係止部１７ａは凹み５ａに入り込み、位置決めと係止が図られるようになっている。なお、逆三角体１を強く引っ張れば、凹み５ａは係止部１７ａから外れ、両者は分離できる。
【００１５】
以上の連結操作が終了すると、逆三角体１をＹ字体２の蝶番１０で前方に折り返す。そして、ピン７を挿入孔１３に挿入すると、ロック機構１４でロックされる。図８はこの状態を示すネクタイ吊りの側面図であるが、この状態になると、逆三角体１に結ばれた結び目１６は、その裏面をＹ字体２で形が崩れないように押さえられる。図９はこのロック機構１４を示す正面図、図１０は断面図であるが、Ｙ字体２の裏面に外套１８を取り付け、この外套１８内に常時水平内方に付勢される二つの摘み１９を設けたものである。この摘み１９は、基部１９ａと先端部１９ｂとで鍵形をした同形の二つの部材からなるもので、先端部１９ｂを互いに相手方に通過させて間に所定の間隙２０を隔てて配置したものである。この間隙２０の位置は、上記した挿入孔１３と同芯に設定されたものであり、これに応じて外套１８にも挿入孔１３が連続している。
【００１６】
そして、先端部１９ｂ同士をばね２１で引っ張り合うとともに、間隙２０が一定以上狭まらないようにストッパ２２を設けたものである。これにより、逆三角体１を折り返したときにピン７が挿入孔１３から挿入されると、ピン７は、間隙２０の中に入り込む。このとき、間隙２０の間隔は、ストッパ２２によってピン７の径よりもわずかに小さい一定の間隔に保持されているから、ピン７の挿入によって先端部１９ｂが開く（基部１９ａは狭まる）。したがって、先端部１９ｂは、ピン７を挟圧してピン７の抜出を阻止する（ロックする）。なお、このとき、ピン７の先端を間隙２０よりも小さい径から漸大するテーパにしておけば、ピン７が間隙２０に確実に挿入されるし、先端部１９ｂが挟圧するピン７の個所に先端部１９ｂが入り込む溝７ａ等を形成しておけば、ロックが確実になる。
【００１７】
以上の操作が終了すると、翼部８をワイシャツ２３の襟に差し込むとともに、ワイシャツ２３の第一ボタン２３ａにＹ字体２に形成されたボタン孔１２を挿入する。図１１はこの状態を示すネクタイ吊りの正面図であるが、こうすると、ネクタイ１５がワイシャツ２３に取り付けられたようになり、ネクタイ１５を結んだと同じ状態になる。一方、ネクタイ１５を外すときには、第一ボタン２３からＹ字体２のボタン孔１２を外して翼部８を襟から抜けばよい。この状態（逆三角体１に結び目１６を形成したまま）のネクタイ吊りを保存しておき、必要なときにワイシャツ２３に装着すればよい。
【００１８】
また、違うネクタイ１５を装着しようと思うときには、前以って別の逆三角体１に別のネクタイ１５を結んだものを用意しておき、これをＹ字体２に結合するようにすれば、装着の操作が迅速である。このとき、前の逆三角体１を分離する必要があるが、それには、ロック機構１４の摘み１９の基部１９ａを親指と人指し指で挟むと、先端部１９ｂ同士が開き、ピン７のロックが解除されて、ピン７が抜き出せる。そこで、蝶番１０を真っ直ぐにして舌部５をケース１１から抜き出せば、逆三角体１は分離するから、新しい逆三角体１を差し込めばよい。
【図面の簡単な説明】
【００１９】
【図１】ネクタイ吊りの一例を示す正面図である。
【図２】ネクタイ吊りの一例を示す側面図である。
【図３】ネクタイ吊りに結び目を作る場合の説明図である。
【図４】ネクタイ吊りに結び目を作る場合の説明図である。
【図５】ネクタイ吊りに結び目を作る場合の説明図である。
【図６】ネクタイ吊りに結び目を作る場合の説明図である。
【図７】逆三角体とＹ字体の連結構造を示す断面図である。
【図８】結び目を形成したネクタイ吊りの側面図である。
【図９】逆三角体とＹ字体をロックする構造の正面断面図である。
【図１０】逆三角体とＹ字体をロックする構造の断面図である。
【図１１】結び目を形成したネクタイ吊りの正面図である。
【符号の説明】
【００２０】
１    逆三角体
２    Ｙ字体
３    基体
４    角部
４ａ  フック
５    舌部
５ａ  凹み
６    フック
７    ピン
７ａ  溝
８    翼部
９    柱部
１０  蝶番
１１  ケース
１２  ボタン孔
１３  挿入孔
１４  ロック機構
１５  ネクタイ
１５ａ    〃  の裏垂れ部
１５ｂ    〃  の第二裏垂れ部
１５ｃ    〃  の第三裏垂れ部
１５ｄ    〃  の前垂れ部
１６  結び目
１７  板ばね
１７ａ係止部
１８  外套
１９  摘み
１９ａ  〃の基部
１９ｂ  〃の先端部
２０  間隙
２１  ばね
２２  ストッパ
２３  ワイシャツ
２３ａ  〃      の第一ボタン
【図１】
0003123129.tif 000003
【図２】
0003123129.tif 000004
【図３】
0003123129.tif 000005
【図４】
0003123129.tif 000006
【図５】
0003123129.tif 000007
【図６】
0003123129.tif 000008
【図７】
0003123129.tif 000009
【図８】
0003123129.tif 000010
【図９】
0003123129.tif 000011
【図１０】
0003123129.tif 000012
【図１１】
0003123129.tif 000013